(57)【要約】      （修正有）【課題】異なるサイズのテーブルに揺動可能に設置され、高さが調整できる木製テーブル脚の改良構造を提供する。【解決手段】４本の支持用ポールと、４本の連動支持ロッドと、２本の伸縮調整ロッドとを備える。連動支持ロッドは２本の中段位置が交差するように枢接され、支持用ポール１は両端の側辺にそれぞれ近接する箇所が連動支持ロッドの一端に各々設置される（これにより、連動支持ロッドの交差角度が改変され、支持用ポールの間が拡張または縮小されて高さが調整される）。伸縮調整ロッドは互いに平行して対応すると共に両端が支持用ポールの中段位置にそれぞれ枢接され、各伸縮調整ロッドは外部パイプ部材３１と、内部ロッド部材３２と、調整ロッド３３とを有する。外部パイプ部材は内部ロッド部材に伸縮可能に設置され、外部パイプ部材の一端は支持用ポールに枢接され、他端には設置台座が形成される。【選択図】図２
0003212022.tif 000002
【実用新案登録請求の範囲】
【請求項１】
４本の支持用ポールと、４本の連動支持ロッドと、２本の伸縮調整ロッドとを備え、
前記４本の連動支持ロッドは２本の中段位置が交差するように枢接され、前記４本の支持用ポールは両端の側辺にそれぞれ近接する箇所が連動支持ロッドの一端に各々設置され、前記２本の伸縮調整ロッドは互いに平行して対応すると共に両端が支持用ポールの中段位置にそれぞれ枢接され、各伸縮調整ロッドは外部パイプ部材と、内部ロッド部材と、調整ロッドとを有し、前記外部パイプ部材は内部ロッド部材に伸縮可能に設置され、前記外部パイプ部材の一端は支持用ポールに枢接され、他端には設置台座が形成され、前記設置台座には内部ロッド部材の外径に覆設される位置決め板、及び位置決め板に弾性により当接され、位置決め板が常態では傾斜して内部ロッド部材に噛合されるようにするためのスプリングが内設され、前記調整ロッドは可動推移する形態で外部パイプ部材の一側に平行に設置され、且つ一端が設置台座を貫通させて位置決め板に当接されることを特徴とする木製テーブル脚の改良構造。
【請求項２】
前記支持用ポールは２本の円形支持ロッド及び２本の矩形支持ロッドであり、前記円形支持ロッド及び連動支持ロッドは固設され、前記矩形支持ロッド及び連動支持ロッドは枢接されることを特徴とする、請求項１に記載の木製テーブル脚の改良構造。
【考案の詳細な説明】
【技術分野】
【０００１】
本考案は、木製テーブル脚の改良構造に関し、より詳しくは、多機能調整構造を具備する木製テーブル脚の構造であり、異なるサイズのテーブルに揺動可能に設置される木製テーブル脚の改良構造に関する。
【背景技術】
【０００２】
現在人々の生活水準が日々向上しており、装飾デザイン、家具及び木工工芸品の消費も驚異的に伸びている。木工製品及び装飾技術において、木製器材、木製テーブル及び鉗子は作業に必要不可欠な重要な器具であるが、現在一般的な木製器材、木製テーブル及び鉗子は非常に多様化している。
【考案の概要】
【考案が解決しようとする課題】
【０００３】
しかしながら、装飾技術及び木工品のメンテナンスにおいては常に作業場所を変えねばならず、故に機能が単純で、決して軽くない大量の従来の木製器材を携帯するには限度があった。よって、上述の問題は現在木工製品の加工及び装飾技術者が製品を購入する際に最も重視する項目であった。さらに、一般的な木製テーブルにのこぎり台を設置させる場合、大型の木板の方が設置させやすいが、この場合テーブルはどれも調整不可で体積が大きすぎるという欠点が存在する。  
【０００４】
そこで、本考案者は上記の欠点が改善可能と考え、鋭意検討を重ねた結果、合理的設計で上記の課題を効果的に改善する本考案の提案に到った。  
【０００５】
なお、かかる従来の実情に鑑みて、本考案は、木製テーブル脚の改良構造を提供することを目的とする。すなわち、多機能調整構造を具備する木製テーブル脚の構造を提供し、異なるサイズのテーブルに揺動可能に設置できるようにする。  
【０００６】
本考案者は長年関連産業での開発に従事してきた経験に基づき、従来の木製テーブルが直面する問題を深く検討し、積極的に解決の道を探ってきた。長年の研究開発の結果、木製テーブル脚の改良を考案するに至った。これは多機能調整構造を具備する木製テーブル脚の構造であり、異なるサイズのテーブルに揺動可能に設置される。
【課題を解決するための手段】
【０００７】
上述した課題を解決し、目的を達成するために、本考案に係る木製テーブル脚の改良構造は、４本の支持用ポールと、４本の連動支持ロッドと、２本の伸縮調整ロッドとを備える。前記４本の連動支持ロッドは２本の中段位置が交差するように枢接され、前記４本の支持用ポールは両端の側辺にそれぞれ近接する箇所が連動支持ロッドの一端に各々設置される（これにより、連動支持ロッドが交差して枢接される角度が改変され、支持用ポールの間が拡張または縮小されることにより調整される）。前記２本の伸縮調整ロッドは互いに平行して対応すると共に両端が支持用ポールの中段位置にそれぞれ枢接され、各伸縮調整ロッドは外部パイプ部材と、内部ロッド部材と、調整ロッドとを有する。前記外部パイプ部材は内部ロッド部材に伸縮可能に設置され、前記外部パイプ部材の一端は支持用ポールに枢接され、他端には設置台座が形成される。前記設置台座には内部ロッド部材の外径に覆設される位置決め板、及び位置決め板に弾性により当接され、位置決め板が常態では傾斜して内部ロッド部材に噛合されるようにするためのスプリングが内設され、前記調整ロッドは可動推移する形態で外部パイプ部材の一側に平行に設置され、且つ一端が設置台座を貫通させて位置決め板に当接される。  
【０００８】
これにより、調整ロッドが押動されると、位置決め板が調整ロッドにより押動されて本来の傾斜して噛合される形態から、揺動して噛合が解除された解放形態へと変化し、外部パイプ部材及び内部ロッド部材の定位が解除される。続いて、対応する支持用ポールが開閉され、即ち連動支持ロッドが交差して設置される角度及び伸縮調整ロッドの長さが同期で改変され、所定のテーブル及び支持用ポールの対応する位置が選択された後、調整ロッドが緩められることによりスプリングが位置決め板を弾性により再度噛合させて定位させるように回復させる。  
【０００９】
前述の支持用ポールは２本の円形支持ロッド及び２本の矩形支持ロッドであり、前記円形支持ロッド及び連動支持ロッドは固設され、前記矩形支持ロッド及び連動支持ロッドは枢接される。
【考案の効果】
【００１０】
前述の考案内容から分かるように、本考案に係る「木製テーブル脚の改良構造」は未使用時には折り畳まれているため空間を占めず、木製作業台に応用される場合、簡単に展開させてテーブルを支持させることができる。また、伸縮調整ロッドが無段階調整機能を有するため、テーブル脚がテーブルの大きさ及び高さに合わせて簡単に調整できる。これにより、本考案は高い実用性及び進歩性を有する考案となり、産業界が普及を推進し、大衆に公知にする価値がある。
【図面の簡単な説明】
【００１１】
【図１】本考案の第１実施形態による木製テーブル脚の改良を説明する折り畳み態様の外観斜視図である。
【図２】本考案の第１実施形態に係る木製テーブル脚の改良を説明する展開態様の外観斜視図である。
【図３】本考案の伸縮調整ロッドが固定態様になる縦断面図である。
【図４】本考案の伸縮調整ロッドが調整可能な態様になる縦断面図である。
【図５】本考案にデスクトップが設置される外観斜視図（一）である。
【図６】本考案にデスクトップが設置される外観斜視図（二）である。
【図７】本考案の第２実施形態による木製テーブル脚の改良を説明する概略図である。
【図８】本考案の第３実施形態による木製テーブル脚の改良を説明する概略図である。
【考案を実施するための形態】
【００１２】
以下、図面を参照して本考案に係る木製テーブル脚の改良構造の実施形態について説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１３】
（第１実施形態）  
以下、図１〜６を参照しながら、本考案の第１実施形態を詳しく説明する。  
本考案は木製テーブル脚の改良構造に関し、多機能調整構造を具備する木製テーブル脚の構造であり、異なるサイズのテーブルに揺動可能に設置される。また、揺動可能に設置されることにより高さが調整されたり、機能が拡充されたりする（図１乃至図６参照）。本考案に係る「木製テーブル脚の改良構造」は４本の支持用ポール１と、４本の連動支持ロッド２と、２本の伸縮調整ロッド３とを備える。  
【００１４】
前記４本の連動支持ロッド２は２本の中段位置が交差するように枢接され、前記４本の支持用ポール１は両端の側辺にそれぞれ近接する箇所が連動支持ロッド２の一端に各々設置される（これにより、連動支持ロッド２が交差して枢接される角度が改変され、支持用ポール１の間が拡張または縮小されることにより調整される）。前記２本の伸縮調整ロッド３は互いに平行して対応すると共に両端が支持用ポール１の中段位置にそれぞれ枢接され、各伸縮調整ロッド３は外部パイプ部材３１と、内部ロッド部材３２と、調整ロッド３３とを有する。前記外部パイプ部材３１は内部ロッド部材３２に伸縮可能に設置され、前記外部パイプ部材３１の一端は支持用ポール１に枢接され、他端には設置台座３４が形成される。前記設置台座３４には内部ロッド部材３２の外径に覆設される位置決め板３５、及び位置決め板３５に弾性により当接され、位置決め板３５が常態では傾斜して内部ロッド部材３２に噛合されるようにするためのスプリング３６が内設される（前述の位置決め板３５は求められる強度に応じて数量が増設され、噛合時の安定性が強化される）。前記調整ロッド３３は可動に推移する形態で外部パイプ部材３１の一側に平行に設置され、且つ一端が設置台座３４を貫通させて位置決め板３５に当接される。  
【００１５】
これにより、調整ロッド３３が押動されると、位置決め板３５が調整ロッド３３により押動されて本来の傾斜して噛合される形態から、揺動して噛合が解除された解放形態に変化し、外部パイプ部材３１及び内部ロッド部材３２の定位が解除される。続いて、対応する支持用ポール１が開閉され、即ち連動支持ロッド２が交差して設置される角度及び伸縮調整ロッド３の長さが同期で改変され、所定のテーブル及び支持用ポール１の対応する位置が選択された後、調整ロッド３３が緩められることによりスプリング３６が位置決め板３５を弾性により再度噛合させて定位させるように回復させる。  
【００１６】
更に詳しくは、前記支持用ポール１は２本の円形支持ロッド１１及び２本の矩形支持ロッド１２であり、前記円形支持ロッド１１及び連動支持ロッド２は固設され、前記矩形支持ロッド１２及び連動支持ロッド２は枢接される。矩形支持ロッド１２及び連動支持ロッド２が枢接されるという特性により、テーブル脚が展開される際に矩形支持ロッド１２が調整範囲内でその支持面が水平形態を呈し、テーブルがより安定的に矩形支持ロッド１２に設置される（図５の設置形態を参照）。  
【００１７】
（第２実施形態）  
図７は本考案の第２実施形態による木製テーブル脚の改良構造を説明する概略図である。前記連動支持ロッド２は方形のロッド体として設計され、且つ外部パイプ部材３１及び矩形支持ロッド１２は固定されるように設計される。  
【００１８】
（第３実施形態）  
図８は本考案の第３実施形態による木製テーブル脚の改良構造を説明する概略図である。前記内部ロッド部材３２及び円形支持ロッド１１は接続スリーブ方式により枢接効果を達成させる。  
【００１９】
前述の考案内容から分かるように、本考案に係る「木製テーブル脚の改良構造」は未使用時には折り畳まれるため空間を占めず、木製作業台に応用される場合、簡単に展開させてテーブルを支持させることができる。また、伸縮調整ロッド３は無段階調整機能を有するため、テーブル脚がテーブルの大きさ及び高さに合わせて容易に調整できる。  
【００２０】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２１】
１  支持用ポール
１１  円形支持ロッド
１２  矩形支持ロッド
２  連動支持ロッド
３  伸縮調整ロッド
３１  外部パイプ部材
３２  内部ロッド部材
３３  調整ロッド
３４  設置台座
３５  位置決め板
３６  スプリング
【図１】
0003212022.tif 000003
【図２】
0003212022.tif 000004
【図３】
0003212022.tif 000005
【図４】
0003212022.tif 000006
【図５】
0003212022.tif 000007
【図６】
0003212022.tif 000008
【図７】
0003212022.tif 000009
【図８】
0003212022.tif 000010